(57)【特許請求の範囲】
【請求項１】
天板を支持する天板支持体の後部上面に、オプション部品支持用の支持部材を嵌挿しうる嵌合孔を設け、かつこの嵌合孔を設けた天板支持体の後部と、天板との位置関係を、前記嵌合孔の上端開口が天板の後部により覆われた孔閉塞状態と、天板の後端が嵌合孔の上端開口より前方に位置し、嵌合孔の上端開口が露呈する孔開放状態とに変更可能としたことを特徴とする机。
【請求項２】
天板を、嵌合孔の上端開口を覆う後方位置と、後端が嵌合孔より前方に位置して、嵌合孔の上端開口が露呈するようにした前方位置とに取付位置変更可能として、天板支持体に取り付けた請求項１記載の机。
【請求項３】
天板を、後方位置と前方位置との両方の位置で、締着手段により締着しうるようにした請求項２記載の机。
【請求項４】
天板を、前方位置と後方位置との間を前後方向に摺動可能として、天板支持体に装着した請求項２または３記載の机。
【請求項５】
天板を、天板支持体の前部に固着し、嵌合孔を上面に設けた天板支持体の後部を、前記嵌合孔の上端開口が天板の後部により覆われる前方位置と、嵌合孔の上端開口が天板の後端より後方に位置し、上方に露呈する後方位置とに前後方向に移動可能として、天板支持体の前部に装着した請求項１記載の机。
【請求項６】
天板支持体の後部を、前方位置と後方位置とにおいて、天板支持体の前部に固定する固定手段を設けた請求項５記載の机。
【請求項７】
天板支持体が、左右１対の後脚を備え、各後脚内に、上端が開口する嵌合孔を設けた請求項１〜６のいずれかに記載の机。
【発明の詳細な説明】
【０００１】
【発明の属する技術分野】
本発明は、天板の上方に、必要に応じて、棚板、ピンナップボード等のオプション部品を容易に取り付けることができるようにした机に関する。
【０００２】
【従来の技術】
従来のこの種の机としては、例えば特開２０００−２８７７６０号公報に開示されているように、天板の後部両側の角部を切り欠き、その下方に露呈する左右の後脚の上端に形成された挿入孔に、左右１対のオプション部品支持用の支柱を挿入し、両支柱の上端部同士を連結する横杆または両支柱に、棚板等のオプション部品を装着するようにしたものがある。
【０００３】
【発明が解決しようとする課題】
しかし、上述のような従来の机では、オプション部品を取り付けないときは、その支持用の支柱を後脚の上端から抜き取っておくので、挿入孔が上方に露呈し、見苦しい。
そのため、この挿入孔の上端開口を、適宜のカバーで閉塞しておく必要がある。
【０００４】
このカバーは、いかに体裁よく形成したとしても、天板と完全に一体とすることはできず、天板の後角部に別部材があることがわかるので、外観の向上を図る上でマイナスの要因となっている。
【０００５】
本発明は、従来の技術が有する上記のような問題点に鑑み、オプション部品を取り付けないときの外観をよくすることができるとともに、オプション部品支持用の支持部材を簡単かつ強固に取り付けることができるようにした簡単な構造の机を提供することを目的としている。
【０００６】
【課題を解決するための手段】
本発明によると、上記課題は、次のようにして解決される。
(１) 天板を支持する天板支持体の後部上面に、オプション部品支持用の支持部材を嵌挿しうる嵌合孔を設け、かつこの嵌合孔を設けた天板支持体の後部と、天板との位置関係を、前記嵌合孔の上端開口が天板の後部により覆われた孔閉塞状態と、天板の後端が嵌合孔の上端開口より前方に位置し、嵌合孔の上端開口が露呈する孔開放状態とに変更可能とする。
【０００７】
(２) 上記(１)項において、天板を、嵌合孔の上端開口を覆う後方位置と、後端が嵌合孔より前方に位置して、嵌合孔の上端開口が露呈するようにした前方位置とに取付位置変更可能として、天板支持体に取り付ける。
【０００８】
(３) 上記(２)項において、天板を、後方位置と前方位置との両方の位置で、締着手段により締着しうるようにする。
【０００９】
(４) 上記(２)または(３)項において、天板を、前方位置と後方位置との間を前後方向に摺動可能として、天板支持体に装着する。
【００１０】
(５) 上記(１)において、天板を、天板支持体の前部に固着し、嵌合孔を上面に設けた天板支持体の後部を、前記嵌合孔の上端開口が天板の後部により覆われる前方位置と、嵌合孔の上端開口が天板の後端より後方に位置し、上方に露呈する後方位置とに前後方向に移動可能として、天板支持体の前部に装着する。
【００１１】
(６) 上記(５)項において、天板支持体の後部を、前方位置と後方位置とにおいて、天板支持体の前部に固定する固定手段を設ける。
【００１２】
(７) 上記(１)〜(６)項のいずれかにおいて、天板支持体が、左右１対の後脚を備え、各後脚内に、上端が開口する嵌合孔を設ける。
【００１３】
【発明の実施の形態】
図１〜図６は、本発明の第１の実施形態を示す。
机(１)は、天板(２)と、それを支持する天板支持体(３)とからなり、天板支持体(３)は、前後の端部に円筒状の垂直の脚(４)の上端部を溶接等により固着した前後方向を向く角管よりなる側部連結杆(５)(５)の中央部同士を、左右方向を向く中間連結杆(６)をもって連結したものよりなっている。
【００１４】
左右の後脚(４)(４)の上端は上方に開口し、この後脚(４)(４)の上端から下端に至る中空部により、後述するオプション部品支持用の支持部材(14)における左右１対の支杆(15)(15)を嵌挿しうる嵌合孔(７)(７)が形成されている。
【００１５】
各側部連結杆(５)の前後２個所には、ボルト挿通孔(８)が上下方向に貫通するように設けられており、また天板(２)の下面には、図２に実線で示すように、天板(２)を、その後部で嵌合孔(７)(７)の上端開口を覆う後方位置としたとき、各ボルト挿通孔(８)と整合するようにした４個の埋込みナット(９)と、図２に想像線で示すように、天板(２)を、その後端が嵌合孔(７)より前方に位置して、嵌合孔(７)の上端開口が露呈するようにした前方位置としたときに、各ボルト挿通孔(８)と整合するようにした４個の埋込みナット(10)とが設けられている。
【００１６】
したがって、各ボルト挿通孔(８)に下方より挿通させたボルト(11)の上端を、前方の埋込みナット(９)に螺合することにより、天板(２)を、後方位置として天板支持体(３)に取り付けることができ、同じく、ボルト(11)の上端を、後方の埋込みナット(10)に螺合することにより、天板(２)を、前方位置として天板支持体(３)に取り付けることができ、もって、天板支持体(３)の後部と天板(２)との位置関係を、嵌合孔(７)の上端開口が天板(２)の後部により覆われた孔閉塞状態と、天板(２)の後端が嵌合孔(７)の上端開口より前方に位置し、嵌合孔(７)の上端開口が露呈する孔開放状態とに変更することができる。
図２及び図３に示すように、天板(２)の下面における両側前後部には、天板(２)を、前方位置と後方位置との間を前後方向に摺動しうるように案内するガイド部材(12)が設けられている。
【００１７】
各ガイド部材(12)は、止めねじ(13)をもって天板(２)の下面に固着された取付片(12a)と、その外側端から垂下し、かつ各側部連結杆(５)の内側面に摺接する垂下片(12b)と、垂下片(12b)の下端より外側方に水平に折曲形成され、各側部連結杆(５)の下面に係合する外向折曲片(12c)とからなっている。
【００１８】
各ガイド部材(12)の長さは、天板(２)が後方位置のとき、後端が中間連結杆(６)の前面または後脚(４)の前面に当接し、天板(12)が前方位置のとき、前端が前脚(４)の後面または中間連結杆(６)の後面に当接するように定めてある。
【００１９】
このガイド部材(12)により、天板(２)は、ボルト(11)を外したときでも、天板支持体(３)から外れることはなく、前後に自由に摺動でき、しかも前方位置と後方位置とに位置決めされるので、ボルト(11)を所望の埋込みナット(９)(10)に容易に螺合することができる。
【００２０】
図４〜図６は、天板(２)を前方位置として、オプション部品支持用の支持部材(14)における右方の支杆(15)を嵌合孔(７)に嵌合した状態を示している。
【００２１】
図１に示すように、支持部材(14)は、上下方向を向く左右１対の支杆(15)(15)の上端部同士を、互いに平行な上下２本の横杆(16)(16)を多数の傾斜杆(17)をもって連結してなる横連結枠(18)をもって連結したものよりなり、この横連結枠(18)及び左右の支杆(15)(15)に、ピンナップボード(19)、トレー(20)係止用のブラケット(21)、クロススクリーン(22)等のオプション部品を適宜装着しうるようになっている。
【００２２】
左右の支杆(15)(15)の対向面には、複数の縦長の係合孔(23)が、上下方向に等間隔をもってそれぞれ穿設されている。
【００２３】
(24)(25)は、互いに向き合わせて合体させることにより、上端部に拡径フランジを備える上下方向を向くスリーブを形成するようにした１対のほぼ半円筒状のスリーブ分割片である。
【００２４】
各スリーブ分割片(24)(25)は、上下方向を向く半円筒部(24a)(25a)の上端に、截頭円錘体を縦に２分割した形状のフランジ半部(25b)が形成され、互いに対向する両側部のいずれか一方に上下２個ずつの縦長の切欠き(26)(26)を、かつ他方に、上記各切欠き(26)(26)に嵌合する上下２個ずつの縦長の突起(27)(27)をそれぞれ突設したものよりなっている。
【００２５】
一方のスリーブ分割片(25)の内面中央には、支杆(15)における２個の係合孔(23)(23)に嵌合しうる２個の突部(28)(28)が、係合孔(23)(23)の上下間隔と同一の上下間隔をもって設けられている。
【００２６】
各支杆(15)は、一方のスリーブ分割片(25)の突部(28)(28)を、所望の係合孔(23)(23)に嵌合し、かつ両スリーブ分割片(24)(25)の突起(27)(27)を、対応する切欠き(26)(26)に嵌合させて、両スリーブ分割片(24)を、中央に支柱(15)を挟んで互いに円筒状となるように合体し、その状態で両スリーブ分割片(24)(25)を、支杆(15)とともに、後脚(４)の上端の嵌合孔(７)に嵌合し、フランジ半部(24b)(25b)の下端を、後脚(４)の上端面に当接させることにより、天板支持体(３)の後部に支持される。
【００２７】
突部(28)(28)を嵌合する支杆(15)の係合孔(23)(23)を選択することにより、支杆(15)(15)の高さを段階的に調節することができ、また左右の支杆(15)(15)の等高の係合孔(23)(23)に、左右のスリーブ分割片(25)(25)の突部(28)(28)を嵌合させて、両スリーブ分割片(24)(25)を各支杆(15)に外嵌することにより、左右の支杆(15)(15)の高さ合わせを簡単に行なうことができる。
【００２８】
図７は、本発明の第２の実施形態を示す。なお、第１の実施形態におけるのと同一の部材には、同一の符号を付して図示するに止め、それらについての詳細な説明は省略する。
【００２９】
この例では、天板支持体(３)における左右の側部連結杆(５)と中間連結杆(６)と左右１対の前脚(４)(４)とを一体として固着し、その上に天板(２)を固着し、角管とした左右１対の側部連結杆(５)(５)の後端より、左右１対の後脚(４)(４)の上部に固着した前方を向く腕杆(29)を、前後方向に摺動自在に嵌合し、図７に実線で示すように、嵌合孔(７)の上端開口が天板(２)の後部により覆われる前方位置と、同じく想像線で示すように、嵌合孔(７)の上端開口が天板(２)の後端より後方に位置し、上方に露呈する後方位置とに前後方向に移動可能としてある。
【００３０】
また、左右の側部連結杆(５)の内面後部に、前後方向を向く長孔(30)を設け、この長孔(30)に挿通した固定手段である蝶ボルト(31)を、腕杆(29)の内側面に設けたねじ孔（図示略）に螺合することにより、後脚(４)と腕杆(29)とを、上述の前方位置と後方位置とにおいて、側部連結杆(５)に締着固定しうるようにしている。
【００３１】
この第２の実施形態においても、嵌合孔(７)を設けた天板支持体(３)の後部である左右の後脚(４)(４)と天板(２)との位置関係を、嵌合孔(７)の上端開口が天板(２)の後部により覆われた孔閉塞状態と、天板(２)の後端が嵌合孔(７)の上端開口より前方に位置し、嵌合孔(７)の上端開口が露呈する孔開放状態とに変更することができ、第１の実施形態におけるのと同様の効果を奏することができる。
【００３２】
【発明の効果】
本発明によると、次のような効果を奏することができる。
(ａ)  請求項１の発明によると、オプション部品を取り付けないときは、嵌合孔を天板の後部により閉塞できるので、体裁がよく、しかも嵌合孔閉塞用の特別のカバー等を設けたり、天板自体に切欠きや特別の加工を施したりする必要がないので、構造を簡素化できるとともに、容易に製造することができる。
また、オプション部品を取り付けるときは、嵌合孔が露呈するように、天板と天板支持体の後部とを互いに前後方向にずらして、嵌合孔に、オプション部品支持用の支持部材を挿入するだけでよいので、取付作業が簡単であるとともに、支持部材を、ブラケット等を用いることなく、天板支持体の後部に強固に支持させることができる。
【００３３】
(ｂ)  請求項２の発明によると、天板支持体と天板とをそれぞれ別体として製造し、天板を、前方位置と後方位置との２個所の位置で、天板支持体に取り付けることができるようにするだけでよいので、簡単に実施できるとともに、構造を簡素化し、安価に製造することができる。
【００３４】
(ｃ)  請求項３の発明によると、天板を、後方位置と前方位置との両位置で、天板支持体に強固に固定することができる。
【００３５】
(ｄ)  請求項４の発明によると、天板の取付位置の変更作業が容易になる。
【００３６】
(ｅ)  請求項５の発明によると、可動部を小さくすることができ、その移動を、軽力で容易に行なうことができる。すなわち、天板のような質量の大きな部分を移動させる必要がない。
【００３７】
(ｆ)  請求項６の発明によると、天板支持体の後部が、前部に対してみだりに移動するのを防止することができる。
【００３８】
(ｇ)  請求項７の発明によると、嵌合孔を特別な部材に設ける必要がなく、構造を簡素化できるとともに、外観上の体裁をよくすることができる。
【図面の簡単な説明】
【図１】本発明の第１の実施形態である机と、それに装着しようとするオプション部品とを、斜め後方より見た分解斜視図である。
【図２】同じく、机の上部の一部破断側面図である。
【図３】図２のIII−III線に沿う拡大縦断正面図である。
【図４】天板を前方位置とし、かつ後脚に支持部材を嵌合したときの後脚上部の拡大側面図である。
【図５】図４のＶ−Ｖ線に沿う縦断面図である。
【図６】支持部材の取付部分の分解斜視図である。
【図７】本発明の第２の実施形態の上部の中央縦断側面図である。
【符号の説明】
(１)机
(２)天板
(３)天板支持体
(４)脚
(５)側部連結杆
(６)中間連結杆
(７)嵌合孔
(８)ボルト挿通孔
(９)(10)埋込みナット
(11)ボルト
(12)ガイド部材
(12a)取付片
(12b)垂下片
(12c)外向折曲片
(13)止めねじ
(14)支持部材
(15)支杆
(16)横杆
(17)傾斜杆
(18)横連結杆
(19)ピンナップボード
(20)トレー
(21)ブラケット
(22)クロススクリーン
(23)係合孔
(24)(25)スリーブ分割片
(24a)(25a)半円筒部
(24b)(25b)フランジ半部
(26)切欠き
(27)突起
(28)突部
(29)腕部
(30)長孔
(31)蝶ボルト（固定手段）
【図１】
0004558992.tif 000002
【図２】
0004558992.tif 000003
【図３】
0004558992.tif 000004
【図４】
0004558992.tif 000005
【図５】
0004558992.tif 000006
【図６】
0004558992.tif 000007
【図７】
0004558992.tif 000008